(57)【要約】【課題】  カバーと布団とのズレを防止し、もって使用者に不快感を与えないようにし、また、カバーの四隅に予め開口されている穴を利用して、簡単なズレ防止機構を提供すること。【解決手段】  掛布団１０の四隅にオスボタン３０を配し、この掛布団１０の下面に重ね合わせる肌布団の四隅には上記オスボタン３０と嵌着するメスボタンを配する。２枚重ね合わせた掛布団１０等をカバー１内に入れる。カバー１の四隅にはゴミ除去用の穴が予め開口されており、この穴３の付近にヒモ４を設ける。このヒモ４を上下の布団の間に入れると共に、オスボタン３０より内方へ位置させることで、オスボタン３０にてヒモ４が係止された状態となる。【選択図】        図１４
2006020840.tif 000002
【特許請求の範囲】
【請求項１】
布団と、この布団を入れる袋状のカバー（１）とを備え、前記布団とカバー（１）とのズレを防止するズレ防止手段を設けていることを特徴とするカバーと布団のズレ防止装置。
【請求項２】
前記カバー（１）の四隅には予め穴（３）がそれぞれ形成されており、この穴（３）の付近に設けたヒモ（４）と、前記布団の四隅に設けたヒモ（１７）とで前記ズレ防止手段を構成し、前記ヒモ（４）とヒモ（１７）とを結び付けるようにしていることを特徴とする請求項１に記載のカバーと布団のズレ防止装置。
【請求項３】
前記カバー（１）の四隅には予め穴（３）がそれぞれ形成されており、この穴（３）の付近に設けたボタン（３０）と、このボタン（３０）と対になり前記布団の四隅に設けたボタン（４０）とで前記ズレ防止手段を構成し、前記ボタン（３０）（４０）同士を嵌着していることを特徴とする請求項１に記載のカバーと布団のズレ防止装置。
【請求項４】
前記カバー（１）の四隅には予め穴（３）がそれぞれ形成されており、この穴（３）の付近に設けたヒモ（４）の先端に装着されているボタン（３０）と、このボタン（３０）と対になり前記布団の四隅に設けたボタン（４０）とで前記ズレ防止手段を構成し、前記ボタン（３０）（４０）同士を嵌着していることを特徴とする請求項１に記載のカバーと布団のズレ防止装置。
【請求項５】
前記カバー（１）の四隅には予め穴（３）がそれぞれ形成されており、この穴（３）の付近に両端（４ａ）（４ｂ）を該カバー（１）に固着したヒモ（４）と、
布団を２枚上下に重ね合わせた場合に該布団同士を支持固定するために上下の布団の四隅にそれぞれ設けられている対となるボタン（３０）（４０）とで前記ズレ防止手段を構成し、
前記ヒモ（４）を上下の布団の間であって嵌着したボタン（３０）（４０）より内方に位置させていることを特徴とする請求項１に記載のカバーと布団のズレ防止装置。
【請求項６】
前記カバー（１）の四隅には予め穴（３）がそれぞれ形成されており、この穴（３）の付近に両端（４ａ）（４ｂ）を該カバー（１）に固着したヒモ（４）と、
布団を２枚上下に重ね合わせた場合に該布団同士を支持固定するために布団の四隅にそれぞれ並設されている一対のオスボタン（３０）とメスボタン（４０）とで前記ズレ防止手段を構成し、
前記ヒモ（４）を上下の布団の間であって嵌着したボタン（３０）（４０）より内方に位置させていることを特徴とする請求項１に記載のカバーと布団のズレ防止装置。
【請求項７】
１枚の布団のコーナー部分を折り返して各四隅のボタン（３０）（４０）同士を嵌着した際に、前記ヒモ（４）を内側の折り返し部分と前記ボタン（３０）（４０）との間に位置させていることを特徴とする請求項６に記載のカバーと布団のズレ防止装置。
【請求項８】
前記カバー（１）の四隅には予め穴（３）がそれぞれ形成されており、この穴（３）の付近に両端（４ａ）（４ｂ）を該カバー（１）に固着したヒモ（４）と、
布団を２枚上下に重ね合わせた場合に該布団同士を支持固定するために上下の布団の四隅にそれぞれ設けられていて布団の一方の面にはオス接合部（５０ａ）が面し、他方の面にはメス接合部（５０ｂ）が面するオス・メス両用ボタン（５０）とで前記ズレ防止手段を構成し、
前記ヒモ（４）を上下の布団の間であって嵌着したオス・メス両用ボタン（５０）より内方に位置させていることを特徴とする請求項１に記載のカバーと布団のズレ防止装置。
【請求項９】
前記カバー（１）の四隅には予め穴（３）がそれぞれ形成されており、この穴（３）の付近に両端（４ａ）（４ｂ）を該カバー（１）に固着したヒモ（４）と、
布団を２枚上下に重ね合わせた場合に該布団同士を支持固定するために上下の布団の四隅にそれぞれオス接合部（５０ａ）とメス接合部（５０ｂ）とが並設されていて布団の一方の面にはオス接合部（５０ａ）が面し、他方の面にはメス接合部（５０ｂ）が面する一対のオス・メス両用ボタン（５０）とで前記ズレ防止手段を構成し、
１枚の布団のコーナー部分を折り返して各四隅のオス・メス両用ボタン（５０）同士を嵌着した際に、前記ヒモ（４）を内側の折り返し部分と前記オス・メス両用ボタン（５０）との間に位置させていることを特徴とする請求項１に記載のカバーと布団のズレ防止装置。
【請求項１０】
前記カバー（１）の四隅には予め穴（３）がそれぞれ形成されており、この穴（３）の付近に両端（４ａ）（４ｂ）を該カバー（１）に固着したヒモ（４）と、
布団を２枚上下に重ね合わせた場合に該布団同士を支持固定するために一方の布団の四隅にそれぞれ設けられている対となるボタン（３０）（４０）と、
布団を２枚上下に重ね合わせた場合に該布団同士を支持固定するために他方の布団の四隅にそれぞれ設けられていて布団の一方の面にはオス接合部（５０ａ）が面し、他方の面にはメス接合部（５０ｂ）が面するオス・メス両用ボタン（５０）とで前記ズレ防止手段を構成し、
前記ヒモ（４）を上下の布団の間であって嵌着したボタン（４０）（５０）より内方に位置させていることを特徴とする請求項１に記載のカバーと布団のズレ防止装置。
【請求項１１】
前記ズレ防止手段を構成するヒモ４をカバー１の予め形成されている穴３の付近に配設し、前記ヒモ４の一端４ａをカバー１の内側面に固着すると共に、ヒモ４の他端４ｂを前記穴３を介してカバー１の外側面に固着していることを特徴とする請求項１に記載のカバーと布団のズレ防止装置。
【発明の詳細な説明】
【技術分野】
【０００１】
本発明は、カバー内に納装した布団と、該カバーとがずれないようにしたカバーと布団のズレ防止装置に関するものである。
【背景技術】
【０００２】
２枚の布団を重ね合わせる場合、例えば、掛布団と肌布団とを重ね合わせたり、あるいは肌布団と肌布団と重ね合わせた場合に、使用中の寝返りなどで上下の布団がずれないようにボタンを嵌着したものとして、例えば、下記に示す特許文献１がある。
【０００３】
【特許文献１】特開平１１−７６０２６号公報
【０００４】
この特許文献１に記載の技術は、掛布団や肌布団などの布団の周縁に雄ボタンと雌ボタンとを固定し、該布団を１８０°回転させて回転前の布団に対向させた場合に、回転前と回転後の布団の雄ボタンと雌ボタンとが、対向連結しうるようにしたものである。
かかる構成により、同一種類の布団でも異なる種類の布団でも着脱自在に連結することができ、２枚の布団を重ね合わせて使用しても互いにずれるのを防止するようにしている。
【０００５】
この特許文献１では、布団同士を重ね合わせてずれないようにしているものの、布団とこの布団を覆うカバーとのずれを如何にして防止するかという記載はない。
【０００６】
また、布団とカバーとが記載されているものとして、例えば、下記に示す特許文献２がある。
【特許文献２】実公平６−３００３７号公報
【０００７】
この特許文献２に記載されている技術は、袋状の包布（カバー）の一部にふとん類出し入れ用の開口部と、包布の四隅に手指差し入れ用の穴を設け、表裏両面が同様に使用でき、かつその裏返し及び表返しの作業が容易にできるようにしたものである。また、包布の四隅に開口した穴から内部に溜まった綿屑、ホコリ、ゴミ等の除去を容易にしている。
しかしながら、この特許文献２においても、内部に入れた布団と包布とのズレを如何にして防止するかという記載はない。そのため、寝返りなどでカバー（包布）と布団がずれてしまい、使用者に不快感を与えてしまうという問題があった。
【発明の開示】
【発明が解決しようとする課題】
【０００８】
本発明は上述の問題点に鑑みて提供したものであって、少なくとも以下に示す目的を有するカバーと布団のズレ防止装置を提供するものである。
（１）カバーと布団とのズレを防止し、もって使用者に不快感を与えないようにすること。
（２）カバーの四隅に予め開口されている穴を利用して、簡単なズレ防止機構を提供すること。
（３）布団同士を重ね合わせた場合の該布団の支持固定用のボタンを利用して、カバーの四隅に予め開口されている穴にヒモを設けて、該ヒモとボタンとで布団とカバーとのズレを防止すること。
【課題を解決するための手段】
【０００９】
そこで、本発明の請求項１記載のカバーと布団のズレ防止装置では、布団と、この布団を入れる袋状のカバー１とを備え、前記布団とカバー１とのズレを防止するズレ防止手段を設けていることを特徴としている。
【００１０】
請求項２に記載のカバーと布団のズレ防止装置では、前記カバー１の四隅には予め穴３がそれぞれ形成されており、この穴３の付近に設けたヒモ４と、前記布団の四隅に設けたヒモ１７とで前記ズレ防止手段を構成し、前記ヒモ４とヒモ１７とを結び付けるようにしていることを特徴としている。
【００１１】
請求項３に記載のカバーと布団のズレ防止装置では、前記カバー１の四隅には予め穴３がそれぞれ形成されており、この穴３の付近に設けたボタン３０と、このボタン３０と対になり前記布団の四隅に設けたボタン４０とで前記ズレ防止手段を構成し、前記ボタン３０、４０同士を嵌着していることを特徴としている。
【００１２】
請求項４に記載のカバーと布団のズレ防止装置では、前記カバー１の四隅には予め穴３がそれぞれ形成されており、この穴３の付近に設けたヒモ４の先端に装着されているボタン３０と、このボタン３０と対になり前記布団の四隅に設けたボタン４０とで前記ズレ防止手段を構成し、前記ボタン３０、４０同士を嵌着していることを特徴としている。
【００１３】
請求項５に記載のカバーと布団のズレ防止装置では、前記カバー１の四隅には予め穴３がそれぞれ形成されており、この穴３の付近に両端４ａ、４ｂを該カバー１に固着したヒモ４と、布団を２枚上下に重ね合わせた場合に該布団同士を支持固定するために上下の布団の四隅にそれぞれ設けられている対となるボタン３０、４０とで前記ズレ防止手段を構成し、前記ヒモ４を上下の布団の間であって嵌着したボタン３０、４０より内方に位置させていることを特徴としている。
【００１４】
請求項６に記載のカバーと布団のズレ防止装置では、前記カバー１の四隅には予め穴３がそれぞれ形成されており、この穴３の付近に両端４ａ、４ｂを該カバー１に固着したヒモ４と、布団を２枚上下に重ね合わせた場合に該布団同士を支持固定するために布団の四隅にそれぞれ並設されている一対のオスボタン３０とメスボタン４０とで前記ズレ防止手段を構成し、前記ヒモ４を上下の布団の間であって嵌着したボタン３０、４０より内方に位置させていることを特徴としている。
【００１５】
請求項７に記載のカバーと布団のズレ防止装置では、１枚の布団のコーナー部分を折り返して各四隅のボタン３０、４０同士を嵌着した際に、前記ヒモ４を内側の折り返し部分と前記ボタン３０、４０との間に位置させていることを特徴としている。
【００１６】
請求項８に記載のカバーと布団のズレ防止装置では、前記カバー１の四隅には予め穴３がそれぞれ形成されており、この穴３の付近に両端４ａ、４ｂを該カバー１に固着したヒモ４と、布団を２枚上下に重ね合わせた場合に該布団同士を支持固定するために上下の布団の四隅にそれぞれ設けられていて布団の一方の面にはオス接合部５０ａが面し、他方の面にはメス接合部５０ｂが面するオス・メス両用ボタン５０とで前記ズレ防止手段を構成し、前記ヒモ４を上下の布団の間であって嵌着したオス・メス両用ボタン５０より内方に位置させていることを特徴としている。
【００１７】
請求項９に記載のカバーと布団のズレ防止装置では、前記カバー１の四隅には予め穴３がそれぞれ形成されており、この穴３の付近に両端４ａ、４ｂを該カバー１に固着したヒモ４と、布団を２枚上下に重ね合わせた場合に該布団同士を支持固定するために上下の布団の四隅にそれぞれオス接合部５０ａとメス接合部５０ｂとが並設されていて布団の一方の面にはオス接合部５０ａが面し、他方の面にはメス接合部５０ｂが面する一対のオス・メス両用ボタン５０とで前記ズレ防止手段を構成し、１枚の布団のコーナー部分を折り返して各四隅のオス・メス両用ボタン５０同士を嵌着した際に、前記ヒモ４を内側の折り返し部分と前記オス・メス両用ボタン５０との間に位置させていることを特徴としている。
【００１８】
請求項１０に記載のカバーと布団のズレ防止装置では、前記カバー１の四隅には予め穴３がそれぞれ形成されており、この穴３の付近に両端４ａ、４ｂを該カバー１に固着したヒモ４と、布団を２枚上下に重ね合わせた場合に該布団同士を支持固定するために一方の布団の四隅にそれぞれ設けられている対となるボタン３０、４０と、布団を２枚上下に重ね合わせた場合に該布団同士を支持固定するために他方の布団の四隅にそれぞれ設けられていて布団の一方の面にはオス接合部５０ａが面し、他方の面にはメス接合部５０ｂが面するオス・メス両用ボタン５０とで前記ズレ防止手段を構成し、前記ヒモ４を上下の布団の間であって嵌着したボタン４０、５０より内方に位置させていることを特徴としている。
【００１９】
請求項１１に記載のカバーと布団のズレ防止装置では、前記ズレ防止手段を構成するヒモ４をカバー１の予め形成されている穴３の付近に配設し、前記ヒモ４の一端４ａをカバー１の内側面に固着すると共に、ヒモ４の他端４ｂを前記穴３を介してカバー１の外側面に固着していることを特徴としている。
【発明の効果】
【００２０】
本発明の請求項１に記載のカバーと布団のズレ防止装置によれば、布団とカバー１とのズレを防止するズレ防止手段を設けているので、使用中の寝返りなどをうってもカバー１と布団とのズレを防止し、もって使用者に不快感を与えることもない。
【００２１】
請求項２に記載のカバーと布団のズレ防止装置によれば、カバー１のヒモ４と布団のヒモ１７とを結び付けるようにしているので、使用中の寝返りなどをうってもカバー１と布団とのズレを防止し、もって使用者に不快感を与えることもない。また、カバー１の予め開口してある穴３を利用して布団のヒモ１７を外部へ引き出してヒモ４と結ぶようにしているので、簡単で低コストなズレ防止機構を提供することができる。
【００２２】
請求項３に記載のカバーと布団のズレ防止装置によれば、カバー１のボタン３０と布団のボタン４０を嵌着しているので、使用中の寝返りなどをうってもカバー１と布団とのズレを防止し、もって使用者に不快感を与えることもない。また、カバー１の予め開口してある穴３を利用してボタン３０、４０を嵌着することができるので、簡単で低コストなズレ防止機構を提供することができる。
【００２３】
請求項４に記載のカバーと布団のズレ防止装置によれば、カバー１のヒモ４の先端のボタン３０と布団のボタン４０を嵌着しているので、使用中の寝返りなどをうってもカバー１と布団とのズレを防止し、もって使用者に不快感を与えることもない。また、カバー１の予め開口してある穴３を利用してボタン３０、４０を嵌着することができるので、簡単で低コストなズレ防止機構を提供することができる。
【００２４】
請求項５に記載のカバーと布団のズレ防止装置によれば、ヒモ４を上下の布団の間であって嵌着したボタン３０、４０より内方に位置させているので、ヒモ４がボタン３０、４０に係止された状態となり、使用中の寝返りなどをうってもカバー１と布団とのズレを防止し、もって使用者に不快感を与えることもない。また、カバー１の予め開口してある穴３を利用してボタン３０、４０を嵌着したりヒモ４を動かすことができるので、簡単で低コストなズレ防止機構を提供することができる。
【００２５】
請求項６に記載のカバーと布団のズレ防止装置によれば、ヒモ４を上下の布団の間であって嵌着したボタン３０、４０より内方に位置させているので、ヒモ４がボタン３０、４０に係止された状態となり、使用中の寝返りなどをうってもカバー１と布団とのズレを防止し、もって使用者に不快感を与えることもない。また、カバー１の予め開口してある穴３を利用してボタン３０、４０を嵌着したりヒモ４を動かすことができるので、簡単で低コストなズレ防止機構を提供することができる。
【００２６】
請求項７に記載のカバーと布団のズレ防止装置によれば、１枚の布団のコーナー部分を折り返して各四隅のボタン３０、４０同士を嵌着した際に、前記ヒモ４を内側の折り返し部分と前記ボタン３０、４０との間に位置させているので、布団のコーナー部分の折り返し部分とボタン３０、４０との間にヒモ４が係止された状態となり、使用中の寝返りなどをうってもカバー１と布団とのズレを防止し、もって使用者に不快感を与えることもない。また、カバー１の予め開口してある穴３を利用してボタン３０、４０を嵌着したりヒモ４を動かすことができるので、簡単で低コストなズレ防止機構を提供することができる。
【００２７】
請求項８に記載のカバーと布団のズレ防止装置によれば、ヒモ４を上下の布団の間であって嵌着したオス・メス両用ボタン５０より内方に位置させているので、ヒモ４がオス・メス両用ボタン５０に係止された状態となり、使用中の寝返りなどをうってもカバー１と布団とのズレを防止し、もって使用者に不快感を与えることもない。また、カバー１の予め開口してある穴３を利用してオス・メス両用ボタン５０を嵌着したりヒモ４を動かすことができるので、簡単で低コストなズレ防止機構を提供することができる。
【００２８】
請求項９に記載のカバーと布団のズレ防止装置によれば、ヒモ４を内側の折り返し部分と前記オス・メス両用ボタン５０との間に位置させているので、布団のコーナー部分の折り返し部分とオス・メス両用ボタン５０との間にヒモ４が係止された状態となり、使用中の寝返りなどをうってもカバー１と布団とのズレを防止し、もって使用者に不快感を与えることもない。また、カバー１の予め開口してある穴３を利用してオス・メス両用ボタン５０を嵌着したりヒモ４を動かすことができるので、簡単で低コストなズレ防止機構を提供することができる。
【００２９】
請求項１０に記載のカバーと布団のズレ防止装置によれば、ヒモ４を上下の布団の間であって嵌着したボタン４０、５０より内方に位置させているので、ヒモ４がボタン４０、５０に係止された状態となり、使用中の寝返りなどをうってもカバー１と布団とのズレを防止し、もって使用者に不快感を与えることもない。また、カバー１の予め開口してある穴３を利用してボタン４０、５０を嵌着したりヒモ４を動かすことができるので、簡単で低コストなズレ防止機構を提供することができる。
【００３０】
請求項１１に記載のカバーと布団のズレ防止装置によれば、ズレ防止手段を構成するヒモ４をカバー１の予め形成されている穴３の付近に配設し、前記ヒモ４の一端４ａをカバー１の内側面に固着すると共に、ヒモ４の他端４ｂを前記穴３を介してカバー１の外側面に固着しているので、カバー１を表返しても、裏返してもヒモ４の一端４ａは内側面あるいは外側面に位置し、ヒモ４の他端４ｂは外側面あるいは内面に位置することになる。これにより、カバー１を表返しても、あるいは裏返してもカバー１の表裏に関係なく、後述するようにヒモ４とボタン３０、４０、５０や布団との折り返し部分に対して係止されるようにして、カバー１と布団とのズレを確実に防止できるようにしている。
【００３１】
また、請求項５〜請求項１１においては、布団同士を重ね合わせた場合の該布団の支持固定用のボタン３０、４０、５０を利用して、カバー１の予め開口してある穴３の付近にヒモ４を設けて、該ヒモ４とボタン３０、４０、５０とで布団とカバー１のズレを防止しているので、簡単な構成で低コストに提供することができる。
【発明を実施するための最良の形態】
【００３２】
（第１の実施の形態）
以下、本発明の第１の実施の形態を図面を参照して詳細に説明する。図１〜図３において、布団は掛布団、肌布団、敷布団等の種類は問わないものであり、説明の便宜上掛布団１０を例として説明する。
【００３３】
掛布団１０を覆うカバー１は図３に示すように、基本的には上下２枚の生地を重ね合わせて周囲を糸にて縫合するものであり、カバー１の一辺には大きな掛布団１０の出し入れ用の開口部２が形成されている。また、カバー１の四隅には綿屑、ホコリ、ゴミ等を除去するための穴３がそれぞれ形成されており、この穴３の近辺に帯状のヒモ４の基部が縫合されている。
なお、上記開口部２及び穴３の部分以外のカバー１の周縁部は糸５によって二本針でミシン掛けして縫合されていて、カバー１全体は袋状に形成されている。
【００３４】
一方、カバー１内に開口部２を介して納装される掛布団１０の四隅にも上記ヒモ４と対応した帯状のヒモ１７の基部が縫い付けてある。カバー１内に掛布団１０を入れた後、掛布団１０の四隅がカバー１の四隅にそれぞれ来るように整復作業を行なう。
そして、掛布団１０の四隅のヒモ１７をカバー１の穴３から引き出して、ヒモ４、１７同士を結ぶことで、カバー１と掛布団１０との寝返りなどの使用中のズレを確実に防止することができる。
【００３５】
このように、掛布団１０のヒモ１７と、カバー１のヒモ４とを結び付けることで、カバー１と掛布団１０のズレを防止でき、そのため、カバー１と掛布団１０とがずれないので、使用者に不快感を与えることもない。また、カバー１の穴３は予め形成されているので、この穴３を利用しているものであり、単に穴３付近にヒモ４を付けるだけという簡単な構成であり、コストも安価にでき、しかも簡単なズレ防止機構を提供することができる。
すなわち、カバー１の予め開口してある穴３を利用して布団のヒモ１７を外部へ引き出してヒモ４と結ぶようにしているので、簡単で低コストなズレ防止機構を提供することができる。
【００３６】
（第２の実施の形態）
図４及び図５に第２の実施形態を示す。本実施形態はカバー１と掛布団１０とはボタンにて着脱自在に嵌着するようにしたものである。カバー１の四隅の穴３の付近にはオスボタン３０をそれぞれ配し、掛布団１０の四隅にはこのオスボタン３０と着脱自在に嵌着するメスボタン４０をそれぞれ配している。なお、カバー１と掛布団１０とは分かり易いように並べて描いている。
カバー１の上面にはオスボタン３０の頭部３０ａが面し、カバー１内にはオスボタン３０のオス接合部３０ｂが面している。また、掛布団１０のヘムに設けたメスボタン４０の上面はメス接合部４０ｂが面し、掛布団１０の下面側に頭部４０ａが面している。なお、メスボタン４０のメス接合部４０ｂには分かり易いように多数のドットで描いている。
【００３７】
カバー１内に開口部２を介して掛布団１０を入れた後、穴３に手を入れてカバー１内でオスボタン３０のオス接合部３０ｂをメスボタン４０のメス接合部４０ｂに嵌着する。これにより、カバー１と掛布団１０の四隅はオスボタン３０とメスボタン４０とで固定されることになり、カバー１と掛布団１０のズレを防止でき、先の実施形態と同様の効果を奏するものである。
また、オスボタン３０とメスボタン４０との構成だけであり、特に、カバー１の予め開口してある穴３を利用してボタン３０、４０を嵌着することができるので、カバー１と掛布団１０のズレ防止機構を提供でき、安価にすることができる。なお、カバー１側にメスボタン４０を、掛布団１０側にオスボタン３０を設けるようにしても良い。
【００３８】
（第３の実施の形態）
次に、第３の実施の形態を図６及び図７に示す。この実施形態では、掛布団１０側は図４に示すのと同じであるが、カバー１の穴３の付近に設けたヒモ４の先端にオスボタン３０を設けたものである。カバー１内に掛布団１０を入れた後、ヒモ４の先端を穴３に入れてオスボタン３０とメスボタン４０を嵌着する。これにより簡単な構成でもってカバー１と掛布団１０のズレを防止することができる。
【００３９】
なお、上記第１、第２の実施形態において、カバー１側に設けたヒモ４は、外側に付けた状態を示しているが、このヒモ４をカバー１内に設けても良く、先の実施形態と同様の効果を奏するものである。特に、カバー１の予め開口してある穴３を利用してボタン３０、４０を嵌着することができるので、簡単で低コストなズレ防止機構を提供することができる。
【００４０】
（第４の実施の形態）
図８はカバー１の斜視図を示しており、基本的には図３に示すのと同じであるが、カバー１の四隅に開口した穴３の長手方向に沿ってヒモ４を装着している。また、開口部２の上下には３本のヒモ６の基部を縫合しており、それぞれ上下のヒモ６を結ぶことで、内部の布団が出ないようにしている。
【００４１】
図９に示すように、ヒモ４の一端４ａをカバー１の内面に縫合し、ヒモ４の他端４ｂをカバー１の外側面に縫合している。これは、カバー１を裏返した場合に、ヒモ４のカバー１への装着状態が表裏対称となるようにしているためである。カバー１は、洗濯等において乾燥後に表裏がどちらになっても使用できるようにしているものであり、ヒモ４の一端４ａをカバー１の内側面に縫合し、ヒモ４の他端４ｂをカバー１の外側面に縫合していることで、カバー１を表返しても、裏返してもヒモ４の一端４ａは内側面あるいは外側面に位置し、ヒモ４の他端４ｂは外側面あるいは内面に位置することになる。
これにより、カバー１を表返しても、あるいは裏返してもカバー１の表裏に関係なく、後述するようにヒモ４とボタン３０、４０、５０や布団との折り返し部分に対して係止されるようにして、カバー１と布団とのズレを確実に防止できるようにしている。
【００４２】
また、ヒモ４を伸ばした状態で縫合しているが、弛んだような状態でヒモ４をカバー１に取り付けるようにしても良い。なお、カバー１及びヒモ４自体は生地で構成されているため、柔らかく、そのため、どのような付け方でも良い。
【００４３】
また、図１０はヒモ６の取り付け状態を示し、１本の帯状の生地を途中で折り返して両端部６ａ、６ｂにてカバー１の生地を挟持する形で縫合するようになっている。なお、ヒモ６の一方の端部６ａは、他方の端部６ｂより長くして全体を縫合している。また、ヒモ６の上下は図では空間を設けた状態で描いているが、実際には両側を長手方向に沿って縫合し、１枚のヒモ６として形成している。
【００４４】
また、図１１に示すように、ヒモ４をカバー１内に縁部に沿って取り付けるようにしても良く、また、図１２に示すように、ヒモ４をカバー１内に斜めに取り付けるようにしても良い。なお、図１１及び図１２において、ヒモ４はその両端をカバー１の内側面に縫合して固定してある。
【００４５】
以下は、図９に示すカバー１の穴３の内側にかけて設けたヒモ４にて布団を係止するための実施形態について説明する。図１３は肌布団２０の上に掛布団１０を重ね合わせた後にカバー１内に入れて、ズレを防止するようにしたものである。
すなわち、肌布団２０の四隅には、上面をメス接合部４０ｂとしたメスボタン４０をそれぞれ配し、掛布団１０の四隅には、下面をオス接合部３０ｂとしたオスボタン３０をそれぞれ配している。
【００４６】
肌布団２０の上に掛布団１０を重ね合わせて、各オスボタン３０とメスボタン４０とを嵌着し、カバー１内に入れる。そして、カバー１の穴３から手を入れて両ボタン３０、４０を一旦外し、ヒモ４を掛布団１０と肌布団２０との間に入れると共に、両ボタン３０、４０より内方へヒモ４を動かして両ボタン３０、４０を再度嵌着させる。
図１４はこの状態を示し、両ボタン３０、４０よりヒモ４が内側に来ていて、掛布団１０等が内方に動いた場合、ボタン３０、４０がヒモ４に係止された状態となっているので、カバー１も同時に動く。そのため、掛布団１０等がカバー１と離れて動くことはなく、カバー１と掛布団１０のズレを防止することができる。これにより使用者に不快感を与えない等の上記先の実施形態と同様の効果を奏するものである。また、カバー１の予め開口してある穴３を利用してボタン３０、４０を嵌着することができるので、簡単で低コストなズレ防止機構を提供することができる。
【００４７】
なお、肌布団２０あるいは掛布団１０を先にカバー１内に入れた後に、掛布団１０あるいは肌布団２０を入れて、ヒモ４をボタン３０、４０より内方に動かした後に両ボタン３０、４０を止めるようにしても良い。
【００４８】
（第５の実施の形態）
次に、第５の実施形態について説明する。ところで、冬場などの寒さの程度により２枚の布団同士を重ね合わせたい場合があり、掛布団１０と肌布団２０は従来より重ね合わせができるものの、同一の種類である肌布団２０と肌布団２０とは重ね合わせが出来ないという問題があった。
【００４９】
すなわち、掛布団１０側には例えばオスボタンを装着し、肌布団２０側には例えばメスボタンを装着している場合には、種類の異なる掛布団１０と肌布団２０とはオスボタンとメスボタンで嵌着して両布団の固定が可能である。しかし、肌布団２０同士を重ね合わせてボタンで固定しようとしても、肌布団２０はメスボタン同士のため、種類が同一の肌布団２０同士は重ね合わせて固定することができないという問題があった。
【００５０】
そこで、本実施形態では、種類が異なる布団同士はもちろん、種類が同一の布団同士でも重ね合わせた場合にボタンにて上下の布団を固定できるようにすると共に、布団同士の固定用のボタンを利用することで、布団とカバー１とのズレをも防止するようにしたものである。
【００５１】
図１５（ａ）は掛布団１０の平面図を示し、図１５（ｂ）は該掛布団１０の断面図を示している。また、図１６は掛布団１０の背面図（裏面）を示している。
なお、肌布団２０の場合も同様であり、肌布団２０に対して掛布団１０の方が厚めの場合も、また、掛布団１０でも肌布団２０に対してほぼ同じ厚めの場合や、逆に薄めの場合もある。図１５及び図１６では掛布団１０として説明するが、肌布団２０の場合も同様である。
【００５２】
掛布団１０は周知のように、表地１１と裏地１２との間に中綿１３が装填されており、周囲は所定の寸法幅、例えば４ｃｍ幅のヘム部１４が形成されている。このヘム部１４は表地１１と裏地１２のみ、あるいは表地１１と裏地１２の両面に掛けてヘム布を縫合して形成する場合もある。このヘム部１４の内部には中綿１３は装填されていない。
ヘム部１４以外は表地１１と裏地１２とを糸１５にて縫合し、内部の中綿１３がずれないように例えば格子状にキルティング加工を施している。
【００５３】
掛布団１０の四隅のヘム部１４にオスボタン３０とメスボタン４０とが並べて装着されており、この例では外側にオスボタン３０を、内側にメスボタン４０を斜めに設けている。このオスボタン３０及びメスボタン４０共にその頭部３０ａ、４０ａを表面側に配している。
そして、図１６に示すように、掛布団１０の裏面側にオスボタン３０及びメスボタン４０のオス接合部３０ｂとメス接合部４０ｂが配された形となっている。また、上記と同様にオスボタン３０のオス接合部３０ｂ、メスボタン４０のメス接合部４０ｂには分かり易いように多数のドットで描いている。
【００５４】
オスボタン３０とメスボタン４０の配置は、斜めに限らず、上下方向や横方向に配置したり、あるいは図１５の場合とは逆の斜め方向に配置しても良いものである。また、オスボタン３０とメスボタン４０との位置を逆にして配置しても良い。
【００５５】
次に、２枚の布団を重ね合わせた場合の布団同士の支持固定（連結）について具体的に説明していく。図１７は同一の種類の場合、すなわち、肌布団２０同士を重ね合わせた場合であり、肌布団２０の表面は共に、オスボタン３０の頭部３０ａ、メスボタン４０の頭部４０ａが位置しているので、上下の肌布団２０をそのまま重ね合わせてもオスボタン３０とメスボタン４０同士する嵌着（接合）ことができない。
そこで、図１８に示すように、下側の肌布団２０のコーナー部分をそれぞれ折り返して、オスボタン３０とメスボタン４０のオス接合部３０ｂとメス接合部４０ｂを表面側に位置させる。
【００５６】
これにより、上側の肌布団２０のオスボタン３０とメスボタン４０のオス接合部３０ｂ及びメス接合部４０ｂと、下側のオスボタン３０とメスボタン４０のオス接合部３０ｂ及びメス接合部４０ｂとがそれぞれ対向することになる。この場合、オスボタン３０のオス接合部３０ｂと、メスボタン４０のメス接合部４０ｂとがそれぞれ接合可能に対向しているので、どちらのボタンで接合しても良いが、両方のボタン３０、４０共に接合させることで、支持固定を強固にすることができる。
【００５７】
このようにして本実施形態では、肌布団２０同士という同一の種類の布団であっても、上下のオスボタン３０とメスボタン４０とを接合することで、上下の肌布団２０同士を着脱自在に支持固定することができる。これにより、寝返りをうっても上下の肌布団２０がずれることはない。
【００５８】
また、従来のように肌布団２０を１８０°回転させることなく、肌布団２０同士をそのまま（図１７に示す下側の肌布団２０の表裏を逆にして重ね合わせた場合）、あるいはコーナー部分を折り返すだけでオスボタン３０とメスボタン４０を接合することができる。したがって、病院やホテルなどにおいて多数の布団を重ね合わせる場合には、短時間の作業で行なうことができ、作業効率を向上させることができる。
さらに、病室内に多数のベッドがある場合で、ベッドの周囲にあまり空間が無い場合でも、軽作業で且つ効率良く布団の重ね合わせ作業を行なうことができる。
【００５９】
図１９は、先の重ね合わせた上下２枚の肌布団２０をカバー１内に入れて、上下の肌布団２０の間にヒモ４を入れると共に、両ボタン３０、４０の間にヒモ４を位置させた状態を示している。ヒモ４をオスボタン３０とメスボタン４０との間に動かす方法は、上下の肌布団２０をボタン３０、４０で止めてからカバー１内に入れた後に、両ボタン３０、４０を外してから動かしても良い。また、両ボタン３０、４０を嵌着させずにカバー１内に入れ、両ボタン３０、４０の間にヒモ４を動かした後に、両ボタン３０、４０を止めるようにしても良い。
【００６０】
これにより、肌布団２０が動いてもヒモ４がボタン３０、４０に係止された状態となり、カバー１も同時に動くので、カバー１と肌布団２０とはずれるのを防止することができて、使用者に不快感を与えることはない。このようにして、布団同士を重ね合わせた場合の該布団の支持固定用のボタンを利用し、カバー１の四隅に予め開口されている穴３の付近にヒモ４を設けることで、ボタン３０、４０とヒモ４とで布団とカバーとのズレを防止することができる。
また、カバー１の予め開口してある穴３を利用してボタン３０、４０を嵌着したりヒモ４を動かすことができるので、簡単で低コストなズレ防止機構を提供することができる。
【００６１】
図２０は、肌布団２０が１枚のみの場合であり、この場合は肌布団２０をカバー１内に入れた後に、外側のオスボタン３０を折り返すと、該オスボタン３０のオス接合部３０ｂと内側のメスボタン４０のメス接合部４０ｂとが対向して両ボタン３０、４０を止めることができる。
したがって、カバー１のヒモ４を内側に入れながら肌布団２０のコーナー部分を折り返すことで、肌布団２０のコーナー部分でカバー１のヒモ４を係止することができる。これにより、カバー１と肌布団２０とのズレを防止することができる。また、カバー１の予め開口してある穴３を利用してボタン３０、４０を嵌着したりヒモ４を動かすことができるので、簡単で低コストなズレ防止機構を提供することができる。
【００６２】
また、２枚の肌布団２０を重ね合わせて使用している場合に、下側の肌布団２０の裏面が汚れてきた場合などは、図２１に示すように、図１７の状態から下側の肌布団２０を裏返して使用する。この場合、下側の肌布団２０を裏返すとオスボタン３０とメスボタン４０のオス接合部３０ｂとメス接合部４０ｂが上面に位置することになり、上下の肌布団２０を重ね合わせて接合する場合、先の実施形態とは異なり肌布団２０のコーナー部分を折り返すことなくオスボタン３０とメスボタン４０とを接合することができる。
【００６３】
そして、図２２に示すように、上下２枚の肌布団２０をカバー１内に入れた後に、上記の場合と同様に上下の肌布団２０の間にカバー１のヒモ４を入れると共に、オスボタン３０の内方に来るようにカバー１のヒモ４を動かして、カバー１と肌布団２０とのズレの防止を行なうことができる。
【００６４】
図２３は肌布団２０のコーナー部分にオス・メス両用ボタン５０を１個装着した場合である。このオス・メス両用ボタン５０は図２４（特に図２４（ｂ））に示すような構造となっており、ヘム部１４の上下からオス部５１とメス部５３とを嵌着させており、オス部５１の上面には突部５２が形成され、また、メス部５３には凹部５４が凹設されている。
上記オス部５１の突部５２がメスボタン４０のメス接合部４０ｂと着脱自在に接合するようになっており、また、メス部５３の凹部５４がオスボタン３０のオス接合部３０ｂと着脱自在に接合するようになっている。
【００６５】
ここで、図２４（ａ）に示すように、オス・メス両用ボタン５０の突部５２をオス接合部５０ａとして黒丸で表示する。また、凹部５４をメス接合部５０ｂとして白丸で表示する（図２４（ｃ）参照）。
図２３（ａ）は肌布団２０の平面図（表面）を示し、同図（ｂ）は肌布団２０の背面図（裏面）を示しており、肌布団２０の表面側にオス接合部５０ａが、裏面側にメス接合部５０ｂが位置するようにオス・メス両用ボタン５０を肌布団２０の四隅に配置している。
【００６６】
図２５は前記オス・メス両用ボタン５０を装着した肌布団２０同士を上下に重ね合わせて連結する場合を示しており、上側の肌布団２０のオス・メス両用ボタン５０の下面はメス接合部５０ｂとなっており、下側の肌布団２０のオス・メス両用ボタン５０の上面はオス接合部５０ａとなっている。
そのため、肌布団２０を上下にそのまま重ね合わせた状態で上下のオス・メス両用ボタン５０を嵌着するだけで、上下の肌布団２０を支持固定することができる。
【００６７】
図２６はオス・メス両用ボタン５０で２枚の肌布団２０を重ね合わせてカバー１内に入れた後に、上下の肌布団２０の間であってオス・メス両用ボタン５０より内方にカバー１のヒモ４を動かし、両オス・メス両用ボタン５０を止めることで、ヒモ４をオス・メス両用ボタン５０に係止した状態を示している。
これにより先の実施形態と同様にカバー１と肌布団２０とのズレを防止することができる。また、カバー１の予め開口してある穴３を利用してオス・メス両用ボタン５０を嵌着したりヒモ４を動かすことができるので、簡単で低コストなズレ防止機構を提供することができる。
【００６８】
図２７及び図２８は、１枚の肌布団２０をカバー１内に入れてズレを防止するようにしたものであり、この場合は肌布団２０の四隅に一対のオス・メス両用ボタン５０を装着している。すなわち、一方のオス・メス両用ボタン５０はオス接合部５０ａを上面に配し、他方のオス・メス両用ボタン５０はメス接合部５０ｂを上面に配したものである。なお、オス・メス両用ボタン５０を一対並設した肌布団２０同士を重ね合わせて使用しても良いのはもちろんである。
【００６９】
図２８に示すように、肌布団２０をカバー１内に入れた後に、カバー１のヒモ４を両ボタン５０、５０の間に位置させ、肌布団２０のコーナー部分を折り返して両ボタン５０、５０を嵌着させることで、ヒモ４を肌布団２０のコーナー部分で係止することができる。
これにより先の実施形態と同様にカバー１と肌布団２０とのズレを防止することができる。また、カバー１の予め開口してある穴３を利用してオス・メス両用ボタン５０を嵌着したりヒモ４を動かすことができるので、簡単で低コストなズレ防止機構を提供することができる。
【００７０】
図２９は上側の肌布団２０にはオスボタン３０とメスボタン４０を装着した場合で、下側の肌布団２０にはオス・メス両用ボタン５０を装着した場合を示している。この２枚の肌布団２０を重ね合わせる場合、図２９に示すように、下側の肌布団２０のオス・メス両用ボタン５０の上面はオス接合部５０ａとなっており、上側の肌布団２０のオスボタン３０とメスボタン４０の下面はオス接合部３０ｂとメス接合部４０ｂの両方が対向している。したがって、そのまま上側の肌布団２０のメス接合部４０ｂと下側の肌布団２０のオス接合部５０ａとを嵌着させることで、上下の肌布団２０同士を着脱自在に支持固定することができる。この場合、上下の肌布団２０のコーナー部分を折り返すことなく両ボタン４０、５０を嵌着させることができる。
【００７１】
そして、図３０に示すように、上下２枚の肌布団２０をカバー１内に入れて該カバー１のヒモ４を上下の肌布団２０の間に入れると共に、メスボタン４０より内方に動かしてメスボタン４０とオス・メス両用ボタン５０を止めることで、ヒモ４をメスボタン４０側に係止することができる。
これにより先の実施形態と同様にカバー１と肌布団２０とのズレを防止することができる。また、カバー１の予め開口してある穴３を利用してボタン４０、５０を嵌着したりヒモ４を動かすことができるので、簡単で低コストなズレ防止機構を提供することができる。
【００７２】
なお、本実施形態においては、布団同士を重ね合わせた場合の該布団の支持固定用のボタン３０、４０、５０を利用して、カバー１の予め開口してある穴３の付近にヒモ４を設けて、該ヒモ４とボタン３０、４０、５０とで布団とカバー１のズレを防止しているので、簡単な構成で低コストに提供することができる。
【００７３】
なお、カバー１の穴３の開口位置として、先の説明ではカバー１の長い方の縁の長手方向に沿って形成していたが、短い方の縁に沿って形成したり、あるいはカバー１のコーナー部分を斜めにカットする形で穴３を形成するようにしても良い。
【図面の簡単な説明】
【００７４】
【図１】本発明の第１の実施の形態における掛布団の平面図である。
【図２】本発明の第１の実施の形態におけるカバーの平面図である。
【図３】本発明の第１の実施の形態におけるカバーの斜視図である。
【図４】本発明の第２の実施の形態におけるカバーと掛布団の平面図である。
【図５】本発明の第２の実施の形態における掛布団をカバー内に入れた後にボタン止めした状態を示す平面図である。
【図６】本発明の第３の実施の形態における掛布団の平面図である。
【図７】本発明の第３の実施の形態におけるカバーの平面図である。
【図８】本発明の第４の実施の形態におけるカバーの斜視図である。
【図９】本発明の第４の実施の形態におけるカバーの要部拡大斜視図である。
【図１０】本発明の第４の実施の形態におけるヒモの取り付け状態を示す要部拡大断面図である。
【図１１】本発明の第４の実施の形態におけるヒモの他の取り付け状態を示す図である。
【図１２】本発明の第４の実施の形態におけるヒモの更に他の取り付け状態を示す図である。
【図１３】本発明の第４の実施の形態における掛布団と肌布団の平面図である。
【図１４】本発明の第４の実施の形態における掛布団等をカバーに入れた状態の平面図である。
【図１５】（ａ）（ｂ）は本発明の第５の実施の形態における掛布団（肌布団）の平面図及び断面図である。
【図１６】本発明の第５の実施の形態における掛布団の背面図である。
【図１７】本発明の第５の実施の形態におけるオスボタンとメスボタンを設けた肌布団同士を重ね合わせる場合の説明図である。
【図１８】本発明の第５の実施の形態におけるオスボタンとメスボタンを設けた肌布団同士を重ね合わせる場合の説明図である。
【図１９】本発明の第５の実施の形態における上下２枚の肌布団をカバーに入れた状態を示す図である。
【図２０】本発明の第５の実施の形態における１枚の肌布団をカバーに入れた状態を示す図である。
【図２１】本発明の第５の実施の形態における下側の肌布団を裏返して重ね合わせる場合の説明図である。
【図２２】本発明の第５の実施の形態における２枚の肌布団をカバーに入れた状態を示す図である。
【図２３】（ａ）（ｂ）本発明の第５の実施の形態におけるオス・メス両用ボタンを設けた場合の肌布団の平面図及び背面図である。
【図２４】（ａ）〜（ｃ）は本発明の第５の実施の形態におけるオス・メス両用ボタンの構成を示す図である。
【図２５】本発明の第５の実施の形態におけるオス・メス両用ボタンを設けた肌布団同士を重ね合わせる場合の説明図である。
【図２６】本発明の第５の実施の形態におけるオス・メス両用ボタンを設けた２枚の肌布団をカバーに入れた状態を示す図である。
【図２７】本発明の第５の実施の形態におけるオス・メス両用ボタンを一対設けた場合の肌布団の平面図である。
【図２８】本発明の第５の実施の形態におけるオス・メス両用ボタンを設けた１枚の肌布団をカバーに入れた状態を示す図である。
【図２９】本発明の第５の実施の形態における本発明の実施の形態におけるオスボタンとメスボタンを設けた肌布団とオス・メス両用ボタンを設けた肌布団を重ね合わせる場合の説明図である。
【図３０】本発明の第５の実施の形態における２枚の肌布団をカバーに入れた状態を示す図である。
【符号の説明】
【００７５】
１  カバー
３  穴
４  ヒモ
１０  掛布団
２０  肌布団
３０  オスボタン
３０ｂ  オス接合部
４０  メスボタン
４０ｂ  メス接合部
５０  オス・メス両用ボタン
５０ａ  オス接合部
５０ｂ  メス接合部
【図１】
2006020840.tif 000003
【図２】
2006020840.tif 000004
【図３】
2006020840.tif 000005
【図４】
2006020840.tif 000006
【図５】
2006020840.tif 000007
【図６】
2006020840.tif 000008
【図７】
2006020840.tif 000009
【図８】
2006020840.tif 000010
【図９】
2006020840.tif 000011
【図１０】
2006020840.tif 000012
【図１１】
2006020840.tif 000013
【図１２】
2006020840.tif 000014
【図１３】
2006020840.tif 000015
【図１４】
2006020840.tif 000016
【図１５】
2006020840.tif 000017
【図１６】
2006020840.tif 000018
【図１７】
2006020840.tif 000019
【図１８】
2006020840.tif 000020
【図１９】
2006020840.tif 000021
【図２０】
2006020840.tif 000022
【図２１】
2006020840.tif 000023
【図２２】
2006020840.tif 000024
【図２３】
2006020840.tif 000025
【図２４】
2006020840.tif 000026
【図２５】
2006020840.tif 000027
【図２６】
2006020840.tif 000028
【図２７】
2006020840.tif 000029
【図２８】
2006020840.tif 000030
【図２９】
2006020840.tif 000031
【図３０】
2006020840.tif 000032